(57)【特許請求の範囲】
【請求項１】
入口ポートと出口ポートとを有する上板と、
入口ポートと出口ポートとを有するとともに、接続構造体によって前記上板に回転自在に接続されるソケットディスクと、
を含み、
前記ソケットディスクが前記上板に対して第１配置にある時に、前記ソケットディスク入口・出口ポートが前記上板入口・出口ポートと流体が流れるように連通し、
前記ソケットディスクが前記上板に対して第２配置にある時に、前記ソケットディスク入口・出口ポートが前記上板入口・出口ポートと連通せず、
さらに、
少なくとも一つのカム面を中に有する下側ディスクであって、該カム面が、前記ソケットディスクが前記第２配置にある時に前記ソケットディスク入口・出口ポートへのアクセスを許容し、前記ソケットディスクが前記第１配置にある時に前記ソケットディスク入口・出口ポートへのアクセスを阻止する、下側ディスク、
を含む、バルブ。
【請求項２】
前記下側ディスクが前記上板に固定関係で接続される、請求項１に記載のバルブ。
【請求項３】
前記ソケットディスクがさらに、
前記ソケットディスク入口ポートと関連した入口ポート識別部と、
前記ソケットディスク出口ポートと関連した出口ポート識別部と、
を含む、請求項１に記載のバルブ。
【請求項４】
前記入口ポート識別部が、第１直径の第１フランジ収容部を含み、
前記出口ポート識別部が、第２直径の第２フランジ収容部を含む、
請求項３に記載のバルブ。
【請求項５】
前記第１直径が前記第２直径より大きい、請求項４に記載のバルブ。
【請求項６】
前記第２直径が前記第１直径より大きい、請求項４に記載のバルブ。
【請求項７】
前記入口ポート識別部が、第１形状の第１フランジ収容部を含み、
前記出口ポート識別部が、第２形状の第２フランジ収容部を含み、
前記第１形状が前記第２形状と異なる、
請求項３に記載のバルブ。
【請求項８】
前記入口ポート識別部が、前記ソケットディスク入口ポートの直径を有し、
前記出口ポート識別部が、前記ソケットディスク出口ポートの直径を有する、
請求項３に記載のバルブ。
【請求項９】
前記ソケットディスク入口ポートの前記直径が、前記ソケットディスク出口ポートの前記直径より大きい、請求項８に記載のバルブ。
【請求項１０】
前記ソケットディスク出口ポートの前記直径が、前記ソケットディスク入口ポートの前記直径より大きい、請求項８に記載のバルブ。
【請求項１１】
入口ポートと出口ポートとを有する上板と、
入口ポートと出口ポートとを有するソケットディスクと、
前記ソケットディスクが前記上板に対して回転できる状態で、前記ソケットディスクと前記上板とを連結する軸と、
を含み、
前記ソケットディスクが前記上板に対して第１配置にある時に、前記ソケットディスク入口・出口ポートが前記上板入口・出口ポートと流体が流れるように連通し、
前記ソケットディスクが前記上板に対して第２配置にある時に、前記ソケットディスク入口・出口ポートが前記上板入口・出口ポートと連通せず、
さらに、
少なくとも一つのカム面を中に有する下側ディスクであって、該カム面が、前記ソケットディスクが前記第２配置にある時に前記ソケットディスク入口・出口ポートへのアクセスを許容し、前記ソケットディスクが前記第１配置にある時に前記ソケットディスク入口・出口ポートへのアクセスを阻止する、下側ディスク、
を含む、バルブ。
【請求項１２】
フィルタキャニスタであって、
本体と、
前記本体に配置された入口管と、
前記入口管から所定距離だけオフセットして、やはり前記本体に配置された出口管と、
前記出口管と密封嵌合する出口端を有するとともに前記本体内に配置されるフィルタカートリッジと、
を有するフィルタキャニスタと、
バルブであって、
入口ポートと出口ポートとを有する上板と、
入口ポートと出口ポートとを有するソケットディスクと、
前記ソケットディスクが前記上板に対して回転できる状態で、前記ソケットディスクと前記上板とを連結する軸と、
を含み、
前記ソケットディスクが前記上板に対して第１配置にある時に、前記ソケットディスク入口・出口ポートが前記上板入口・出口ポートと流体が流れるように連通し、
前記ソケットディスクが前記上板に対して第２配置にある時に、前記ソケットディスク入口・出口ポートが相互に連通せず、
さらに、
少なくとも一つのカム面を中に有する下側ディスクであって、該カム面が、前記ソケットディスクが前記第２配置にある時に前記ソケットディスク入口・出口ポートへのアクセスを許容するとともに、前記ソケットディスクが前記第１配置にある時に前記ソケット入口・出口へのアクセスを阻止する、下側ディスクと、
を有するバルブと、
前記フィルタキャニスタ入口管および前記ソケットディスク入口ポートと関連する入口ポート識別部であって、該フィルタキャニスタ入口管を該ソケットディスク入口ポートと流体が流れるように嵌合させることのできる、入口ポート識別部と、
前記フィルタキャニスタ出口管および前記ソケットディスク出口ポートと関連する出口ポート識別部であって、該フィルタキャニスタ出口を該ソケットディスク出口ポートと流体が流れるように嵌合させることのできる、出口ポート識別部と、
を含む、フィルタ・バルブアセンブリ。
【発明の詳細な説明】
【０００１】
（技術分野）
本発明は、フィルタ・バルブ装置に関する。より詳しく述べると本発明は、容器入りフィルタの迅速な交換を可能にする簡易遮断バルブと協働する容器入りフィルタに関する。本発明のフィルタ・バルブアセンブリは、フィルタ交換作業中における濾過媒体の漏出を防止または最小にするように設計されている。
【０００２】
（背景技術）
先行技術で周知の濾過システムは概して、水などの流体から粒子状物質を濾過するため円筒形フィルタが設けられる円筒形ハウジングを含む。このような先行技術システムで詰まった、または汚れたフィルタを交換するには、最初に、フィルタハウジングへの流体供給を遮断し、ハウジングを開き、フィルタを交換することが必要である。この作業は時間がかかるだけでなく、ハウジングが開いた時に流体が漏出する結果となることが多い。したがって、関連してフィルタハウジングから流体が漏出することなく、フィルタ要素の迅速な交換が可能なフィルタシステムに対する必要性が生まれた。漏出した濾過媒体を厳密な手順に従って清掃しなければならない病院の手術室や製造施設のクリーンルームなどの無菌環境でフィルタが交換されるという状況では、これが特に望ましい。
【０００３】
（発明の開示）
本発明は、接続された流体管から迅速かつ容易に取り外して交換できる内蔵型の交換可能フィルタカートリッジを提供することにより、先行技術の問題を克服する。
【０００４】
これを達成するため、本発明では、フィルタカートリッジを濾過される流体に接続するバルブが設けられる。バルブの設計により、フィルタとバルブヘッドアセンブリの一部との回転時に流体遮断を行なって、流体が環境に漏出することなくカートリッジを迅速に交換できる。カートリッジは、完全な使い捨てタイプであっても、ハウジングが開かれて内部の使い捨てフィルタへのアクセスができる構造を持ってもよい。
【０００５】
本発明の示唆によれば、上部を備える本体を有するフィルタキャニスタが設けられる。本体の上部には入口ポートが配置されるとともに、入口ポートから所定距離だけずれて出口ポートも配置される。出口ポートと密封嵌合する出口端を備えるフィルタカートリッジが、本体内に配置される。入口ポート識別部は入口ポートに関連し、出口ポート識別部は出口ポートに関連する。
【０００６】
さらに本発明では、入口ポート識別部は、入口ポートに配置された第１直径を持つフランジである。出口ポートの出口ポート識別部は、第２直径を持つフランジである。第１直径は第２直径より大きくても、その逆でもよい。
【０００７】
もしくは、入口ポートは第１形状のフランジでもよい。出口フランジ識別部は第２形状のフランジである。入口ポートと出口ポートとを区別するため、フランジは異なる形状である。
【０００８】
本発明ではまた、入口および出口ポートを備える上板を有するバルブが提供される。上板に回転自在に接続されたソケットディスクも、入口および出口ポートを有する。ソケットディスク入口・出口ポートは、ソケットディスクが上板に対して第１配置にある時に、上板入口・出口ポートと流体が流れるように連通する。ソケットプレートが上板に対して第２配置にある時には、入口・出口ポートは相互に連通しない。ソケットディスクが第２配置にある時にはソケットディスク入口・出口ポートへのアクセスを許容するが、ソケットディスクが第１配置にある時にはソケット入口・出口ポートへのアクセスを阻止するカム面を有する下側ディスクが設けられる。
【０００９】
さらに本発明の示唆によれば、下側ディスクは上板に固定された状態で接続される。ソケットディスクは、ソケットディスク入口ポートと関連する入口ポート識別部と、ソケットディスク出口ポートと関連する出口ポート識別部とを含む。入口ポート識別部は、第１直径の第１フランジ収容部である。出口ポート識別部は、第２直径の第２フランジ収容部を含む。
【００１０】
またさらに本発明の示唆によれば、第１直径は第２直径より大きい。これに代えて、第２直径が第１直径より大きいようにできる。
【００１１】
本発明によれば、入口ポート識別部はまた、第１形状の第１フランジ収容部と、第２形状の第２フランジ収容部とを有してもよい。第１形状は第２形状と異なる。
【００１２】
本発明のまた別の示唆によれば、入口ポート識別部は、ソケットディスク入口ポートの直径に対応し、出口ポート識別部は、ソケットディスク出口ポートの直径に対応する。ソケットディスク入口ポートの直径は、ソケットディスク出口ポートの直径より大きくても、その逆でもよい。
【００１３】
本発明のさらに別の実施例によれば、上部を備える本体をフィルタが有するフィルタ・バルブアセンブリが提供される。本体の上部に配置された入口および出口ポートは、相互に所定距離だけオフセットしている。本体内に配置されたフィルタカートリッジは、出口ポートと密封嵌合する出口端を有する。入口ポートと出口ポートとを備える上板を有するバルブも、設けられる。上板に回転自在に接続されたソケットディスクは、入口および出口ポートを有する。ソケットディスクが上板に対して第１配置にある時には、ソケットディスク入口・出口ポートは上板入口・出口ポートと流体が流れるように連通する。ソケットディスクが上板に対して第２配置にある時には、ソケットディスク入口・出口ポートは相互に連通しない。下側ディスクは、ソケットディスクが第２配置にある時にソケットディスク入口・出口ポートへのアクセスを許容し、ソケットディスクが第１配置にある時にソケット入口・出口ポートへのアクセスを阻止するカム面を有する。アセンブリはまた、フィルタキャニスタ入口ポートおよびソケット入口ポートと関連する入口ポート識別部を含み、入口ポート識別部により、フィルタキャニスタ入口ポートはソケットディスク入口ポートと流体が流れるように嵌合できる。またアセンブリは、フィルタキャニスタ出口ポートおよびソケットディスク出口ポートと関連する出口ポート識別部を含み、出口ポート識別部により、フィルタキャニスタ出口ポートはソケットディスク出口ポートと滑らかにな状態に嵌合できる。
【００１４】
本発明の別の目的は、入口ポート識別部が、フィルタキャニスタ入口上の第１直径を持つ第１フランジと、第１フランジと嵌合するための、ソケットディスク入口ポート上の第１フランジ収容部とであるフィルタ・バルブアセンブリを提供することである。出口ポート識別部は、フィルタキャニスタ出口ポート上の第２直径を持つ第２フランジと、第２フランジと嵌合するための、ソケットディスク出口ポート上の第２フランジ収容部とを有する。フランジは、上述したように寸法または形状の異なるものである。
【００１５】
（好適な実施態様の説明）
図１はこの発明に係るフィルタ１０を示す。フィルタ１０は、頂部１４、底部１６及び頂部と底部間に連結された円筒形チューブ１８を伴った外側円筒形ケーシング１２を有する。この頂部と底部とは円筒形チューブ１８に封止状態に連結される。この封止連結は、接着剤、溶接、ねじ止め、または当業者にとって公知であるその他の適当な手段によって実施される。円筒形ケーシング１２は内部容積２０を設定し、この中にフィルタカートリッジ２２が配置される。
【００１６】
フィルタカートリッジ２２は円筒形構造をもち、外側支持部材２４と内側支持部材２６があり、これらの支持部材間にフィルタ媒体２８が挟まれている。内側支持部材２６は、フィルタ１０が操作されるとフィルタ媒体２８を適所に保持するように作用する。外側支持部材２４は、基本的にはフィルタ媒体２８の保護物として作用し、特に、フィルタカートリッジ２２の交換中に、もしフィルタカートリッジ２２が取り扱われるような場合に保護物として機能する。このことはフィルタカートリッジ２２が交換可能なモジュールの場合は、特に有用である。しかし、以下に更に詳しく説明するように、このことはこの発明の実施には必要としないのであって、その理由はフィルタカートリッジ２２は交換可能である必要がないからである。
【００１７】
外側支持部材２４はまたその中に含まれたフィルタ媒体２８の形式の付票２３を提供する作用をする。付票２３はまた別の情報、例えば製造業者の名前、フィルタが流体から取除くことができる粒子の大きさなどを提供する。
【００１８】
フィルタカートリッジ２２は頂部端３０と底部端３２を有する。フィルタカートリッジ２２は内側支持部材２６により画定される実質的に円筒形状である内部空間（図示してない）を有する。フィルタカートリッジ２２の内部空間は、シール３４により底部端末３２で封止される。外側支持部材２４、内側支持部材２６及びシール３４は全てポリプロピレンまたはこれに代えて、アクリロニトリル−ブタジエン−スチレン（ＡＢＳ）により製造される。しかし、当業者により理解されるように、適正材料は、システムの必要とする圧力条件とフィルタを通過する媒体の腐食特性に依存して選択することができる。
【００１９】
図２に示すように、フィルタ１０の頂部端末１４は入口３６と出口３８を有する。フィルタカートリッジ２２の頂部端末３０は出口３８と密封状態に係合する。したがって、濾過される流体媒体は入口３６を通ってフィルタ１０に流入し、フィルタ媒体２８を通って出口３８から流出するのであり、この態様は図１に矢印で示す。当然、粒子状物質は、流体が通過する際にフィルタ媒体２８によって捕捉される。
【００２０】
この発明の好適な構造では、円筒形ケーシング１２、その頂部１４、その底部１６、また円筒形チューブ１８、その入口３６と出口３８は、全てポリプロピレンもしくはＡＢＳで製造される。フィルタ１０のこれらのエレメントはそれぞれ、好ましく相互に封止連結され、あるいは互いに他と一体成形されている。しかし、同業技術の通常の熟練者にとって明らかなように、フィルタ１０は、濾過される媒体、媒体の圧力、そしてその他の要因を勘案して決定した適正材料により構成される。例えば、過酷な、すなわち酸性環境においては、フィルタ１０はテフロン（Ｒ）（テトラフルオロエチレン）、ＰＴＦＥもしくは他の同等材質の材料で構成するのがよい。一方で、入口３６と出口３８は円筒形ケーシング１２、その頂部１４、その底部１６、または円筒形チューブ１８などと同材質とする必要はない。その代わり、入口３６と出口３８には適当な金属材料、例えば、当業者にとって確立された方法により、頂部１４の構造の中に一体に形成されるアルミニウムまたは鋼（この種の材料に一般的に必要とされる構造である）のような材料を使用することができる。
【００２１】
フィルタ媒体２８は、必要な濾過の種類に対して適切な何らかの材質で製作するのがよい。例えば、フィルタ媒体２８は親水性紡績材料がよい。これに代えて、特殊な環境条件がテフロン（Ｒ）を必要とする場合には、フィルタ媒体２８はテフロン（Ｒ）で製作することができる。一般的に、フィルタ媒体２８は、円筒形に襞をつけてあり、襞付き材料の自由端は、加熱工程、超音波振動溶接、または当業者にとって公知である他の適当な技法を用いて、相互に他と封止されている。自由端が相互に他と連結される方法とは無関係に、必要とされることの全ては、フィルタ材料の自由端が、濾過されない流体がフィルタ媒体２８を通過するのを防ぐように封止されているということである。
【００２２】
図２に示すように、入口３６は入口フランジ４０を有する。出口３８は出口フランジ４２を有する。図１と２の両方に示すように、入口フランジ４０の直径は出口フランジ４２の直径よりも小さい。以下の論議から一層明らかになるように、入口フランジ４０と出口フランジ４２の直径の差異により、バルブに対するフィルタ１０の誤った装着が防止されるのであり、この事は以下にもっと詳しく説明される。このやり方で、フィルタ１０のバルブに対する正しい方向付けが確実なものになる。
【００２３】
図２は図１に図示するフィルタ１０の端面図である。図２は入口フランジ４０と出口フランジ４２の直径の差異を示しており、これら両方のフランジは口の識別具として機能する。口識別具間の差異は、ここではフランジの直径だが、フィルタ１０が濾過システムに適切に装着されることを確定するように、はっきり目的をもって創りだされる。小さい方の入口フランジ４０（または入口の口識別具）は、濾過システムの供給側の小さい受入れ領域と嵌合するように設計されている。同様に、大きい方の出口フランジ４２（または出口の口識別具）は、濾過システムの装出側の大きい方の受入れ領域と嵌合するように設計されている。以下の論議から一層明らかになるように、両フランジ間の大きさの差異により、出口３８が濾過システムの供給側に連結されるのが阻止される。
【００２４】
しかし、図１及び２に示す入口フランジ４０と出口フランジ４２の構造は、これだけが可能なフランジ構成なのではない。図３−８に示すように、口識別具に対する別の構成が可能である。例えば、図３と４に図示するように、フランジの大きさは、入口３３６の入口フランジ３４０が出口３３８の出口フランジ３４２よりも大きい直径をもつように、フィルタ３１０上にて反転されることが可能である。
【００２５】
この発明の更に別の実施態様によれば、これらのフランジは図５と６に示すフィルタ４１０に対して図解するように変更できる。ここで、口識別具の形状は、明らかに入口フランジ４４０と出口フランジ４４２は、入口４３６が出口４３８と混同しないように相互に他と異なる。注意すべきことは、入口フランジ４４０は三角形で、そして出口フランジ４４２は正方形で示されるが、当業者には、入口４３６が出口４３８と識別される限り、形状構造の変動は無限に如何なる形状構造も可能であるということが容易に評価される、ということである。
【００２６】
この発明の尚も別の実施態様に示すように、同一目的を達成するように、フランジに代わって入口と出口のそれ自体の外径を変更可能である。明らかに、フィルタ５１０に対する図解の様に、入口５３６の外径は、ノズル端末５３９の外径よりも大きいように改変可能である。この辺の態様は図７と８に図示してある。図示のように、ノズル端末５３７の外径は、フランジ５４０と同一の広がりをもつように大きさが増大している。同様な改変がやはりノズル端末５３９についてなされるのであり、当業者にとってよく理解される通りである。別の実施態様におけるように、ノズル端末５３７またはノズル端末５３９の外径を大きくする目的は、フィルタ５１０が濾過システムに不適当に搭載されないように、入口５３６と出口５３８間の弁別を創り出すためである。
【００２７】
図９は、図１及び２に示すフィルタ１０に連結して操作するように設計されたバルブ４４の第１実施態様の断面図である。図１０はバルブ４４の底面図であり、貫通して図９が採られた断面図形成線（線９−９）を示す。図１１は、図９の断面図形成線から角度９０°移動した線に沿って採ったバルブ４４の別の断面図である。図１２はバルブ４４の平面図である。
【００２８】
バルブ４４は上板４６、ソケットディスク４８及び下板５０から成る。上板４６は、ソケットディスク４８が上板４６に関して回転できるように軸５２を介してソケットディスク４８に連結される。軸５２はねじまたは他の適当な連結具でよい。軸５２はソケットディスク４８に連結され、そして図示の通り上板４６を通過する。図示の実施態様では、軸５２はナットまたは固定ナット（もしくは代替的には数本のボルト）によって適所に保持される。ナット５３は上板４６とソケットディスク４８の間に圧力を生じ、この圧力は、ソケットディスク４８が上板４６に関して自由回転するように（以下に更に詳しく説明するように）調節される。加えて、ナット５３は、バルブ４４の使用中に上板４６とソケットディスク４８の間から流体が決して漏洩しないように、充分な圧力が上板４６とソケットディスク５８の間に適用されることを確実にする。また、軸５２とナット５３との構成は、個々の部品が役立つように、あるいは磨滅したＯリングが交換されるように、バルブ４４の分解を容易にする。
【００２９】
当業者によって評価されるように、この発明の範囲ならびに思想から逸脱することなく使用される軸５２とナット５３の構成に対する多くの代替構成がある。その上、当業者により評価されるように、軸５２とナット５３以外の連結具がやはりこの発明の範囲ならびに思想から逸脱することなく代用される。
【００３０】
バルブ４４の長方形エレメントとしてこの第１実施態様に示してある上板４６は、ねじのような剛性部材５４を介して下板５０に連結される。しかし、この剛性部材５４はねじであることを必要としないことが理解される。説明した実施態様に対して必要とされる全ての条件は、上板４６と下板５０が、互いに他に対して回転できないように相互に他に対して剛性連結されるということである。
【００３１】
上板４６は流体供給部と吐出ライン（図示してない）に連結される。従って、図１１に示すように、上板４６には流体入口５６と流体出口５８がある。流体入口５６と流体出口５８とは、エルボ形穴であり、これらは上板４６を経て伸び、ソケットディスク４８に達している。エルボ形穴が図示してあるが、この特殊な構成はこの発明では必要とされないということが理解されなければならない。他の構成、例えば図３０−３１及び図５２−５６に示すような構成に代替されるが、これらの構成はこの発明に係る範囲の中に留まっている。
【００３２】
ソケットディスク４８は円筒形構造であって、フィルタ入口６０とフィルタ出口６２をもち、これらの口はフィルタ入口３６及びフィルタ出口３８と容易に合致する断面をもっている。明らかに、流体入口６０は、フィルタ入口３６に連結する口識別具の形状を容易に受入れる形状をもつ。同様に、流体出口６２は、フィルタ出口３８に連結する口識別具の形状を容易に受入れる形状をもつ。別言すれば、流体入口６０と流体出口６２の形態は、フィルタ１０がその都度正しく装着されるように構成されているのであり、その理由は、バルブ４４に対するフィルタ１０の方向性はただ１つが設定可能だからである。
【００３３】
下板５０は、フィルタ１０がバルブ４４に挿入されると、これを拘束するように作用する。下板５０は、図１０に見るように、貫通して切り込んだカム付開口６４をもった円形板である。
【００３４】
１本のピン６６がソケットディスク４８から、下板５０の中のカム付開口の中に伸びている。ピン６６はソケットディスク４８の過剰回転を防止するためにバルブ４４用の安全停止体として作用する。
【００３５】
バルブ４４の操作は、ここでは図１−２及び図９−１２に関連して説明される。フィルタ１０の入口３６と出口３８が、ソケットディスク４８の入口６０と出口６２に挿入されると、このソケットディスク４８は流体入口５６及び流体出口５８と連通しないように配置される。別言すれば、フィルタ１０がバルブ４４内に挿入されると、バルブ４４は「オフ」位置にある。この「オフ」位置は図９と１１に示してある。一旦フィルタ１０がバルブ４４中に配置されると、フィルタ１０とソケットディスク４８は角度９０°だけ回転される。回転後、流体がフィルタ１０を通り抜けるように、流体入口５６はフィルタ入口３６と一線上に揃い、流体出口５８はフィルタ出口３８と一線上に揃う。従って、バルブ４４はフィルタ１０に対する流れを断続するように作用するゲートバルブとして機能するのであり、この作用によりフィルタ１０の取除き及び交換が容易になり、また濾過される媒体の溢出を起こさずにフィルタの交換を迅速に行う。
【００３６】
一層詳しく説明するように、下板５０によりフィルタの交換作業が容易になる。カム付開口６４は入口６８と出口７０を有し、これらの口はここを通る入口フランジ４０と出口フランジ４２を通すのに充分な大きさをもっている。しかし、ソケットディスク４８が９０°回転されると、カム付開口６４は入口保持面７２と出口保持面７４を提供し、これらの面は下板５０の中心から、入口６８と出口７０ほど離れてはいない。別言すれば、入口保持面７２と出口保持面７４は下板５０の中心に向けて内方に延びている。結果として、フィルタ１０がソケットディスク４８と共に回転すると、保持面７２は、出口フランジ４２がソケットディスク４８との嵌合を解除するのを防止するのであり、その訳は、入口３６（図１参照）の下方表面３７と接触する障壁を提供することによって、出口３８をソケットディスク４８の中に保持するからである。同様に、保持面７４は、入口３６がソケットディスク４８から外れるのを阻止するのであり、その訳は、保持面７４はフィルタ入口６０から出る入口フランジ４０の運動に対する障壁として作用するからである。明らかに、バルブが「オン」位置にあるようにソケットディスク４８が回転すると、保持面７４は出口フランジ３８の下方表面３９と嵌合する（図１参照）。
【００３７】
ピン６６はカム付開口６４のピン停止体７６に接触し、この時ソケットディスク４８は回転されており、その結果バルブ４４は閉じ、フィルタ１０はバルブ４４から外される。ピン６６は安全具として機能し、ソケットディスク４８の不慮の過剰回転を阻止し、この時、流体入口５６がフィルタ入口３６と一線上に揃うこと、及び流体出口５８がフィルタ出口３８と一線上に揃うことを確定するために、バルブ４４の中にフィルタ１０が存在していない。このことがフィルタ入口３６とフィルタ出口３８とが反転されるのを阻止する。
【００３８】
上板４６とソケットディスク４８は何らかの適材で製作するのがよい。例えば、これら双方の構造用にアルミニウムが使用可能であり、アルミニウムはその軽量ならびに強度により好まれる。ステンレス鋼もやはり使用されるがこの材料は特殊用途向けである。しかし、ステンレス鋼はアルミニウムよりかなり重量が重く、なおかつ高価である。さらにこれに代えて、バルブ４４の各種構成部品は、当業者によって理解されるように、ポリプロピレンもしくはＡＢＳのようなプラスチック材料から製作することも可能である。上板４６とソケットディスク４８の製作に使用される材料には関係なく、下板５０は、やはりアルミニウムまたは鋼から作られるけれども、好ましくはポリプロピレンまたはＡＢＳ（あるいは他の適当な重合体すなわちプラスチック材料）から製作するのがよい。上板４６とソケットディスク４８の間に流体密閉シールを作りだすために、上板４６に多数本の溝７８が提供されるのであり、この溝７８の中に、図９と１１に示すようにＯリング８０が配置される。Ｏリングの配置に関する更に詳細な図解は、以下に更に詳しく説明するように、図面の各図を通じて示してある。
【００３９】
ソケットディスク４８の第１実施態様については、この発明のフィルタ１０の第１実施態様に連結して説明してあるが、当業者であれば、ソケットディスク４８は、図３−８に示すフィルタ１０の他の実施態様を採り入れるために改変されるということは容易に理解されよう。それぞれの場合において、バルブのソケットディスクは、特殊なバルブの実施態様が、フィルタの個々の入口と出口に連結する入口と出口の識別具を受入れることができるように変更される。
【００４０】
例えば、図１３−１４に示すバルブ３４４は、図３−４に示すフィルタ３１０を採り入れる設計である。ここで、出口フランジ３４２は入口フランジ３４０より直径が小さい。その結果、ソケットディスク３４８のフィルタ入口３６０とフィルタ出口３６２はこれらの口を適切に採り入れる構成でなければならない。従って、この実施態様においては、入口３６０は、一層大きい直径の入口フランジ３４０を採り入れるために、大きい直径をもっている。同様に、一層小さい直径の出口フランジ３４２を採り入れるために、出口３６２は入口３６０よりも小さい直径をもっている。加えて、入口保持表面３７２と出口保持表面３７０とは、バルブ３４４中で変更されこの変更を設計に採り入れる。
【００４１】
図１５−１６の示すバルブ４４４はこの発明の第３の実施態様に従って構成されている。この場合、バルブ４４４はフィルタ４１０を受入れる設計であって、図５−６に示してある。上述したように、入口フランジ４４０は三角形であり、一方出口フランジ４４２は長方形である。これらの識別具を受入れるために、ソケットディスク４４８は、入口フランジ４４０と出口フランジ４４２を採り入れる形状をもつフィルタ入口４６０とフィルタ出口４６２とを含んでいる。更に、下板４５０は、やはり入口フランジ４４０と出口フランジ４４２を採り入れる形状をもつ入口４６８と出口４７０を伴うカム付開口４６４を有する。入口は入口保持面４７２を決め、出口は出口保持面４７４を決めるのであって、これらの両面は上述したように、フィルタ入口４６０及びフィルタ出口４６４と流体連通状態にフィルタ４１０を維持するように操作する。
【００４２】
図１７−１８はバルブ５４４を示す。バルブ５４４は、図７と８に示すフィルタ５１０を採り入れるように設計されている。そのために、ソケットディスク５４８は、フィルタ入口５３６と連結する口識別具の形状に順応できるフィルタ入口５６０を有する。フィルタ出口５６２はフィルタ出口５３８に連結する口識別具の形状に順応する形状となっている。フィルタ５１０の操作は前出の実施態様の場合と同じである。
【００４３】
これらの実施態様に付加して、またこの明細書の内容に従うと、口識別具の如何なる構成でも上述の実施態様から選択的可能なことが評価される。その上、当業者によって容易に認められるように、この発明の範囲の中にやはり収まる口識別具に対する他の多くの構造が実施可能である。
【００４４】
図１９はソケットディスク４８の底面図であって、一層詳細な流体入口６０と流体出口６２を示している。ピン６６はまた、軸５２の配置のように、この図に図示してある。図２０は、図１９の断面線２０−２０に沿って採ったの断面図であるが、この図は同様に一層詳細にソケットディスク４８を図示している。
【００４５】
図２１は底面図による上板４６を示す。図示のように、上板４６は軸５２のための孔を取り巻く１個の大きいＯリング溝８２を有する。しかし注意すべきことは、この大きいＯリング溝８２は、図２１に示す構成であったとしても、軸５２の孔と同心状態である必要はないということである。注意すべきことは、特殊なＯリング構成はこの発明の実施に際して必要ではないということである。以下の説明から明らかになるように、多数個のＯリングの配列は、当業者によって理解されるように、可能である。
【００４６】
図２１に示すように、大きいＯリング溝８２は入口６０と出口６２を包囲する。入口Ｏリング溝８４は入口６０を取巻く。出口Ｏリング溝８６は出口６２を取巻く。軸のＯリング溝８８は軸５２に対するソケット板４６内の孔を取巻く。バルブ４４が組立てられると、個々の溝はＯリング８０を保持して、入口６０と出口６２を互いに他から、そして環境から封止する。Ｏリング８０は濾過操作中に、そしてまた、バルブ４４の開閉作動時におけるソケット板４６の回転中に、濾過されている流体の流出を阻止する。
【００４７】
図２２はこの発明に係るフィルタの別の実施態様を示す。図２２において、フィルタ１００は外部的にも内部的にも共に、角張らない外観である。また、フィルタ１００はフィルタ１０よりも若干大きめの寸法で示してある。図示のように、頂部１１４と底部１１６は外部的にも内部的にも外観が湾曲している。フィルタ１０の場合のように、フィルタ１００は入口３６と出口３８を有する。流体はフィルタカートリッジ２２を通って入口３６に流入し、出口３８から吐出される。内部容積１２０は円筒形ハウジング１１２の円筒形チューブ１１８とフィルタカートリッジ２２の間に設定される。他の殆ど大部分の点においては、フィルタ１００はフィルタ１０と同様の態様である。フィルタ１００の操作はフィルタ１０と大して変わらない。その上、フランジ４０と４２とが図解されているが、口識別具の組合せは全て、フィルタ１０に関して説明した方法と同様な方法でフィルタ１００に適用可能である。
【００４８】
この発明に係るフィルタの更に別の実施態様を図示している図３３と３４に示すように、フィルタ２００は好ましくは、フィルタ２００が適切に配置されるように単一の封止構造となっている。フィルタ２００は使い捨てであることが好ましいが、フィルタ２００は、カートリッジ２２２がフィルタの内部から取除き可能であって、そして取除かれるように構成することができる。
【００４９】
開示した他の実施態様に関する多くの点においても同様であるが、フィルタ２００は頂部２１４と底部２１６から成る２部分構成で提供される。これら２つの部分は、好ましくはＡＢＳ（アクリロニトリロ−ブタジエン−スチレン）（何らかの適正なプラスチックすなわち重合体材料が採用可能であるが）から製作される。頂部部分２１４は部分２１６にねじ結合することができ、またこの頂部部分２１４は底部部分２１６に（例えば接着剤によって）機械的に溶接可能であり、さらには底部２１６に化学的に溶接されるのであり、何れの方法に依るかは、頂部部分２１４と底部部分２１６が、フィルタカートリッジ２２２が変更された後に、再度使用されるかどうかに係っている。封止可能な嵌合構造を形成するには、頂部部分２１４が底部部分２１６の一部を越えて延びる。
【００５０】
頂部部分２１４は入口２３６と出口２３８がある。流体は入口２３６を経てフィルタ２００に流入し、フィルタカートリッジ２２２を通過し、そして出口２３８を通ってフィルタ２００から流出する。内部容積２２０は円筒形ハウジング２１２の円筒形チューブ２１８とフィルタカートリッジ２２２の間に決定される。フィルタ２００の操作はフィルタ１０及びフィルタ１００の場合と同じである。フランジ２４０と２４２は、説明した別の実施態様におけるフランジ４０、４２と同様な方法で操作する。
【００５１】
フィルタ２００は、更にスピンドル２１１及び２１３が設けられている点が、フィルタ１０及び１００と異なる。スピンドルの構造を第３５〜３９図に詳細に（典型例として）示す。図３５〜３９はスピンドル２１１を示すも、スピンドル２１３にも同じ構造を同様に適用できることに留意されたい。スピンドル２１１は先細部２１５を有し、拡大ベース部２１７に繋がっている。先細部２１５とベース部２１７との間に、くぼみ部２１９を設け、ここにＯリング２２１を配置する（図３３及び図３８参照）。図３３に示すように、スピンドル２１１の基部２１７と円筒形壁部２３１との間の接続により、スピンドル２１１はその内側にてトップ部２１４にシールして取り付けられており、円筒形壁部２３１はトップ部２１４の内側表面と一体成形できる。先細部２１５をカートリッジ２２２の内側に挿入して、Ｏリング２２１がカートリッジ２２２の内側とシール係合を形成することにより、流体はカートリッジ２２２を意図的に通過させない限り、カートリッジ２２２の内部に入ることはできない。スピンドル２１３の場合にも同じことが成り立つが、フィルタ２００の底部に突き出している引き込み部２３３とかん合することにより、スピンドル２１３がボトム部２１６の基部とシール係合する点が異なる。
【００５２】
ＡＢＳはフィルタ２００を構成するのに好ましい材料である。ＡＢＳ技術を熟知している者には公知の密封剤及び接着剤又はそのいずれかを用いて、トップ部２１４とボトム部２１６とを容易にシールして相互接続できるからである。しかしフィルタ２００は、ポリプロピレン又はいずれかの好適な材料でも構成できることに留意されたい。図示のように、トップ部２１４をボトム部２１６の挿入部２３７の上に、ボトム部がストップ２３５に接するまで滑り込ませる。ストップ２３５はトップ部２１４の内側表面と一体に形成することができる。
【００５３】
図４０〜４４は、トップ部２１４の構造を詳細に示す。
【００５４】
図４５〜４７は、ボトム部２１６の構造を詳細に示す。
【００５５】
図２４〜３１は、詳細に上述したバルブ４４の他の実施例を示す。
繰り返しを避けるために、主としてバルブ４４で示した構成品との差異のみ以下に詳述する。
【００５６】
図２４に示すようにバルブ１４４は、上板１４６と、ソケットディスク１４８と、下板１５０とを包含する。しかしながらバルブ１４４においては、これら構造品のそれぞれに違いがあり、バルブ４４の上板４６、ソケットディスク４８、下板５０と区別される。
【００５７】
例えばバルブ１４４の底面図である図２５に示すように、あるいはバルブ１４４の頂面図である図２７に示すように、上板１４４は長方形ではなく円筒形である。さらに、入り口１５６及び出口１５８は、上板１４６の中で半径方向に延びている。図２６に示すように、入り口１５６がテーパ付内側１５７を有してもよく、出口１５８がテーパ付内側１５９を有してもよい。あるいは設計上の要求により、内側１５７及び１５９が全くテーパ無しでもよく、図示よりも大きな角度のテーパを有してもよい。
【００５８】
バルブ１４４のねじ１５４は、バルブ４４とは異なる位置に配置されている。特にねじ１５４の一つであるねじ１５５は上板１４６の外周からずらされ、その結果ソケットディスク１４８の除去された部分１５７とねじ１５５とが交差している。ねじ１５５と除去部分１５７との交差により制限障壁が与えられ、ソケットディスク１４８はこれを超えて回転できない。これによりソケットディスク１４８の回転が阻止され、流体ライン１５６及び１５８並びに入口１６０及び出口１６２が不適正に整列することがなくなる。言い換えればねじ１５５は、バルブ４４におけるピン６６と同じ機能を果たしている。
【００５９】
下板１５０に単一の開口を設ける代わりに（下板５０では単一の開口となっている）、下板１５０のカム付表面１６４は、入り口カム付表面１６１と出口カム付表面１６３との二つに分離したカム付表面に分かれている。下板１５０は単一のカム付開口６４を包含しないので下板５０と異なるが、カム付表面１６１及び１６３はカム付開口６４と同じ働きをする。特にカム付表面１６１及び１６３は入り口３６及び出口３８の下部表面３７及び３９と係合するように形作られており、これによりフィルタ１００は運転中バルブ１４４に保持される。
【００６０】
図２４、２６、２８、２９、及び３０に示すように、バルブ１４４のＯリング溝の配置もバルブ４４と異なるが、全て２片の（あるいは多数）シール構造という点で一致する。しかし、本発明の教えるところに従い、本明細書に記したＯリング構成のいずれでも、本発明の範囲内にあるバルブ実施例のいずれにでも使用可能である。これは以下に詳述する一片に成形したシールを包含する。
【００６１】
図２８に示すように、その中にＯリングを配置するためのＯリング溝１７９が、入り口１６０を包囲している。第２の腎臓形のＯリング溝１８１を、Ｏリング溝１７９の周囲に配置する。腎臓形Ｏリング溝１８１は、入り口１６０から90度の位置まで延びている。これは、上板１４６とソケットディスク１４８が整列せず、従って流体がフィルタカートリッジに流れる時の、上板１４６における入り口の位置である。出口１６２もまたその周りに円形Ｏリング溝１８３を有する。腎臓形Ｏリング溝１８５が円形Ｏリング溝１８３の周囲に延び、更に、バルブ１４４が「閉」位置にある時にソケットディスク１４８上で流体出口１５８がある位置を包囲している。従って、腎臓形Ｏリング溝１８１及び１８５にＯリングを配設した場合、バルブ１４４が「閉」位置にある時、これらＯリングは流体供給及び排出ラインからの流体の漏れを阻止するシールとして働く。
【００６２】
図２９はソケットディスク２４８の他の実施例を示し、この例では除去部分１５７を包含しない。その結果ソケットディスク２４８は、フィルタ交換中のソケットディスク２４８の過回転を阻止するために、ピン（ピン６６のようなもの、図示せず）を包含しても良い。あるいはソケットディスク２４８は、第２５〜２７図に示すように、除去部分１５７を包含するように製造することもできる。
【００６３】
図２９に示すように、ソケットディスク２４８は、図２８に示した形状とは異なるＯリング溝の形状を有する。図示のように、第１のＯリング溝２８１は入口２６０への開口を包囲し、第２のＯリング溝２８３は出口２６２の開口を包囲する。第３のＯリング溝２８５は、ソケットディスク２４８の周辺を囲むことにより、Ｏリング溝２８１及びＯリング溝２８３の両方を包囲する。ソケットディスク２４８には、第４のＯリング溝２８７が包含されてもよい。これら溝のそれぞれにＯリングを配設した場合、バルブの作動時にこれらＯリングがバルブからの流体の漏れを阻止する。第４のＯリング溝２８７にＯリングを設けた場合、シャフト２５２用の穴への流体の流れ込みを阻止する。
【００６４】
Ｏリングのソケットディスクへの配設にかかわらず、Ｏリングを上板２４６の底表面に設けることもできる。図示のように、入り口２６０を包囲するように第１のＯリング溝２７７を配置し、出口２６２を包囲するように第２のＯリング溝２７９を配置してもよい。これら溝に設けたＯリングは、上板２４６とソケットディスク２４８の間の係合をシールする際の補助となり、その結果二つのバルブ部品の間から流体が漏れることはない。
【００６５】
図３１と図３２は、本発明により考えられる他の実施例の上板２４７を示す。この実施例においては、入り口２６１及び出口２６３は方向を変えずに上板２４６を貫いて延びる。更に、入り口２６１及び出口２６３の内側２０１及び２０３はテーパとなっている。
【００６６】
図示されてはいないが、フィルタ２００はまた、トップ部２１４上又はボトム部２１６上に（又はバルブそのものの上に又は流体接続ラインに）圧力開放弁を包含し、フィルタ２００を連結するバルブから取り外す前に、フィルタ２００内の圧力を開放することもできる。フィルタ２００は膨張可能な材料（例えばＡＢＳ）から作られているので、濾過する液体に接続したときに膨張する傾向がある。その結果、流体の圧力が十分大きい場合には、最初に中の圧力を開放せずにフィルタ２００を取り外すと、入り口２３６及び出口２３８から流体の流れが噴出すことがある。無菌環境（例えばクリーンルームや外科手術室）内での突然の流体放出を避けるために、フィルタ２００をバルブから取り外す前に圧力開放弁を操作する。圧力開放弁は、負圧（又は吸引力）によりフィルタ２００を連結バルブから取り外すことができない場合に、補助とすることもできる。
【００６７】
図４９及び図５０は、開放弁３８９の上板３４７への配置の１実施例を示す。開放弁３８９は、バルブを閉位置に回転した後フィルタを取り外す前に装置の圧力を開放するための、上板３４７にドリルで開けた穴である。開放弁３８９は穴として示してあるが、多くの好適な代替法があることが、当業者には容易に認識されよう。
【００６８】
図４８は、図２１に示す上板の他の実施例を示す。図４８においては、上板３４７はくぼみ３９０を包含し、その中に図５１に詳細に示す一体の腎臓形シール部材３９１を保有する。シール部材３９１は、第１の円形断面３９２及び第２の円形断面３９３を包含し、これらは第１の接続部３９４及び第２の接続部３９５により相互に連結されている。シール部材３９１は、上板３４７を下板に対してシールする働きをし、バルブを開状態から閉状態に回転した時に流体の漏れを阻止する。シール部材３９１は、図２８の実施例に示すＯリング１７９、１８１、１８３、及び１８５と同じ働きを行う。
【００６９】
図５２〜５６は、本発明の教えによる更に他のバルブの実施例を示す。バルブ６４４は上板６４６と、ソケットディスク６４８と、下板６５０とを包含する。バルブの他の実施例と同様、上板６４６はシャフト６５２によりソケットディスク６４８へ回転可能に接続されており、従ってソケットディスク６４８は上板６４６に対して回転可能である。シャフト６５２は、ねじ又は他の好適な接続部材とすることができる。シャフト６５２は、ソケットディスク６４８へ接続し、図のように更に上板６４６を貫いて延びる。図示のようにシャフト６５２は、一つのナット又はロックナット６５３（又は図のように数個のナット又はボルト）によって、適当位置に保持される。ナット６５３により、上板６４６とソケットディスク６４８との間の圧力が調整でき、その結果ソケットディスク６４８は上板６４６に関して自由に回転することができる。更に、ナット６５３は上板６４６とソケットディスク６４８との間の適切な関係を確実に保ち、従ってフィルタの流体口は、バルブ６４４が取り付けられている流体システムからの流入及び排出ラインと適切に整列する。
【００７０】
図示する実施例の上板６４６は円形板であって、ねじ等の数個の固定部材６５４により下板６５０に堅く接続されている。しかし、固定部材６５４はねじでなくても良いことを理解されたい。この実施例について必要なことの全ては、上板６４６と下板６５０とが相互に堅く接続され、従ってこれらが相互に関して回転できないことである。
【００７１】
円筒形壁６４９もまた、上板６４６と下板６５０の間に配置されている。円筒形壁６４９はその中を貫通する固定部材６５４により所定の位置に堅く保たれ、従って円筒形壁６４９は所定の位置に堅く保たれる。言い換えれば、円筒形壁６４９は、上板６４６又は下板６５０のいずれに対しても、動くことも回転することもしない．３個の全ての構造材は、バルブが「開」状態か「閉」状態かにはかかわらず、相互に同一の関係を維持する。
【００７２】
円筒形壁６４９は、流体供給及び排出ラインの両方（図示せず）に接続されている。図５５に示すようにフィルタ入口６６０は、ソケットディスク６４８を貫通するエルボ形の通路として示す、流体入り口６５６に流体的に接続されている。同様に、フィルタ流出口６６２は、ソケットディスク６４８を貫通するエルボ形の通路として示す、流体出口６５８に流体的に接続されている。流体入り口６５６は円筒形壁入り口６５７に流体的に接続され、円筒形壁入り口６５７は流体供給ラインに従来の方法で接続されている（図示せず）。流体出口６５８は円筒形壁出口６５９に流体的に接続され、円筒形壁出口６５９は流体排出ラインに従来の方法で接続されている（図示せず）。
【００７３】
ソケットディスク５４８は円筒形構造であり、例えばフィルタ入り口３６に設けたポート識別子の形状を容易に受け入れられるように、フィルタ入り口６６０が構成されている。同様にフィルタ出口６６２が、フィルタ出口３８に設けたポート識別子の形状を容易に受け入れられるように、構成されている。入口６６０及び出口６６２の形状は、いずれの場合にも、例えばフィルタ１０が正しく取り付けらるようになっている。ただし、入り口６６０及び出口６６２は、本発明の範囲内に入るポート識別子の形状のいかなるものでも受け入れられるように構成できることに留意されたい。
【００７４】
下板５０と同様に、下板６５０はフィルタ１０をバルブ６４４に挿入した時にフィルタを拘束するように働く。下板６５０は、貫通するカム付開口６６４を有し、円形である。ピン６６６が、ソケットディスク６４８からカム付開口６６４の中へ延び、バルブ６４４の保護停止として働き、ソケットディスク６４８の過回転を阻止する。
【００７５】
バルブ６４４の作用は、バルブ４４と違いはあるも、非常によく似ている。入り口３６及び出口３８を入り口６６０及び出口６６２へ挿入したとき、ソケットディスク６４８は、流体入り口６５６が円形壁入り口６５７と整列しないように位置する。同様に、流体出口６５８は円形壁出口６５９と整列しない。これがバルブ６４４の「閉」位置である。
【００７６】
カム付開口６６４は入り口部６６８及び出口部６７０を有し、入り口部６６８及び出口部６７０は入り口フランジ４０及び出口フランジ４２が通過できるように形作られ、これによりフィルタ１０のバルブ６４４への挿入及び取り外しが可能である。しかしソケットディスク６４８を９０度回転して「開」位置にした時、カム付開口６４４が入り口保持表面６７２及び出口保持表面６７４を提供する。これらは、入り口部６６８及び出口部６７０よりも、下板６５０の中心側にある。その結果、入り口保持表面６７２及び出口保持表面６７４は、運転中にフィルタ１０がバルブ６４４から外れるのを阻止する。バルブ４４の場合と同様に、バルブ６４４が「閉」位置の時にピン６６６はピンストップ６７６に接し、ソケットディスク６４８の過回転を阻止する。（従って更に、入り口及び出口が、濾過装置の供給および排出ラインと間違って整列するのを阻止する。）
【００７７】
バルブ４４と関連して述べたように、上板６４６及びソケットディスク６４８は、アルミニウム又は鉄等の、いずれかの好適な材料で製作することができる。あるいはまた、ポリプロピレン又はＡＢＳ等の好適なプラスチックすなわち高分子材料で作っても良い。上板６４６及びソケットディスク６４８の製作に使用される材料にかかわらず、下板６５０はポリプロピレン又はＡＢＳ（又はいずれかの他の好適なプラスチックすなわち高分子材料）で作るのが好ましい。
【００７８】
ソケットディスク６４８と円筒状壁６４９の間に流体漏れのないシールを得るために、Ｏリング６８０及び６８２を設ける。Ｏリング６８０は、流体入り口６５６及び流体出口６５８の両方を包囲する。更に優れた流体シールを得るためには、第２のＯリング６８２をＯリング６８０の周囲に配置する。しかしながら当業者が理解されるであろうように、バルブ６４４の運転中の漏れを阻止するものならば、Ｏリング又はシールのいずれの代替配置でも使用できる。
【００７９】
当業者に理解頂きたいことは、上述した実施例は本発明の範囲を制限することを意図するものではないことである。これら実施例は、本明細書に包含し以下に請求する、多くの実施例及び変形例の例示を意図するものである。
【図面の簡単な説明】
【図１】  この発明に係るフィルタカートリッジの実施態様の部分断面図である。
【図２】  図１に示すフィルタカートリッジの端面図である。
【図３】  図１に示すようなこの発明に係るフィルタカートリッジの第２の実施態様の部分断面図である。
【図４】  図３に示すフィルタカートリッジの端面図である。
【図５】  この発明に係るフィルタカートリッジの第３の実施態様の部分断面図である。
【図６】  図５に示すフィルタカートリッジの端面図である。
【図７】  この発明に係るフィルタカートリッジの第４の実施態様の部分断面図である。
【図８】  図７に示すフィルタカートリッジの端面図である。
【図９】  図１０の断面図の線に沿って採ったこの発明のバルブの１つの実施態様の断面図である。
【図１０】  図９のバルブの底面図である。
【図１１】  図９の断面図に垂直な平面に沿って採った、図９のバルブの断面図である。
【図１２】  図９のバルブの平面図である。
【図１３】  図９−１０に示すバルブの第２の実施態様の断面図である。
【図１４】  図１３のバルブの底面図である。
【図１５】  図９−１０に示すバルブの第３の実施態様の断面図である。
【図１６】  図１５のバルブの底面図である。
【図１７】  図９−１０に示すバルブの第４の実施態様の断面図である。
【図１８】  図１７のバルブの底面図である。
【図１９】  図９−１０に示すバルブのソケットディスクの実施態様の断面図である。
【図２０】  図１９のソケットディスクの断面図である。
【図２１】  図９−１０に示すバルブ用上板の１つの実施態様の底面図である。
【図２２】  この発明に係るフィルタキャニスターの別な実施態様の部分断面側面図である。
【図２３】  図２２のフィルタキャニスターの端面図である。；
【図２４】  この発明に係るフィルタキャニスターと共に使用するバルブの別の実施態様の断面図である。
【図２５】  図２４のバルブの底面図である。
【図２６】  図２４の断面図に垂直な平面に沿って採った、図２４のバルブの断面図である。
【図２７】  図２４のバルブの平面図である。
【図２８】  図２４のバルブに使用するソケットディスクの平面図である。
【図２９】  図２４のバルブに使用する代替用ソケットディスクの平面図である。
【図３０】  図２４のバルブに使用するための上板の１つの実施態様の底面図である。
【図３１】  図３０の上板の平面図である。
【図３２】  図３１の上板の側面図である。
【図３３】  この発明に係るフィルタの別の実施態様の部分断面図である。
【図３４】  図３２のフィルタの平面図である。
【図３５】  図３３のフィルタ用のスピンドルの１本の断面図である。
【図３６】  図３５のスピンドルの底面図である。
【図３７】  図３５のスピンドルの側面図である。
【図３８】  図３５のスピンドルの凹部の拡大側面図である。
【図３９】  図３５のスピンドルの平面図である。
【図４０】  図３３のフィルタの頂部の側面図である。
【図４１】  図４０に示す頂部の側面図である。
【図４２】  図４０に示す頂部の底面図である。
【図４３】  図４０に示す頂部の平面図である。
【図４４】  図４０に示す頂部の入口の拡大側面図である。
【図４５】  図３３のフィルタの底部の側面図である。
【図４６】  図４５に示す底部の底面図である。
【図４７】  図４５に示す底部の平面図である。
【図４８】  図２１に示すバルブ上板の別の実施態様の底面図である。
【図４９】  図４８に示すバルブ上板平面図である。
【図５０】  この発明に係るバルブの別の実施態様の平面図であって、リリーフバルブの位置を示す。
【図５１】  図４８に示す上板と共に使用される封止部材の平面図である。
【図５２】  この発明のバルブの別の実施態様の平面図である。
【図５３】  図５２に図示するバルブの側面図である。
【図５４】  図５２に図示するバルブの断面側面図である。
【図５５】  図５２に図示するバルブの断面側面図であって、図５４の断面図から角度９０°の位置にある平面に沿った図である。
【図５６】  図５２に図示するバルブの底面図である。
【図１】
0003924167.tif 000002
【図２】
0003924167.tif 000003
【図３】
0003924167.tif 000004
【図４】
0003924167.tif 000005
【図５】
0003924167.tif 000006
【図６】
0003924167.tif 000007
【図７】
0003924167.tif 000008
【図８】
0003924167.tif 000009
【図９】
0003924167.tif 000010
【図１０】
0003924167.tif 000011
【図１１】
0003924167.tif 000012
【図１２】
0003924167.tif 000013
【図１３】
0003924167.tif 000014
【図１４】
0003924167.tif 000015
【図１５】
0003924167.tif 000016
【図１６】
0003924167.tif 000017
【図１７】
0003924167.tif 000018
【図１８】
0003924167.tif 000019
【図１９】
0003924167.tif 000020
【図２０】
0003924167.tif 000021
【図２１】
0003924167.tif 000022
【図２２】
0003924167.tif 000023
【図２３】
0003924167.tif 000024
【図２４】
0003924167.tif 000025
【図２５】
0003924167.tif 000026
【図２６】
0003924167.tif 000027
【図２７】
0003924167.tif 000028
【図２８】
0003924167.tif 000029
【図２９】
0003924167.tif 000030
【図３０】
0003924167.tif 000031
【図３１】
0003924167.tif 000032
【図３２】
0003924167.tif 000033
【図３３】
0003924167.tif 000034
【図３４】
0003924167.tif 000035
【図３５】
0003924167.tif 000036
【図３６】
0003924167.tif 000037
【図３７】
0003924167.tif 000038
【図３８】
0003924167.tif 000039
【図３９】
0003924167.tif 000040
【図４０】
0003924167.tif 000041
【図４１】
0003924167.tif 000042
【図４２】
0003924167.tif 000043
【図４３】
0003924167.tif 000044
【図４４】
0003924167.tif 000045
【図４５】
0003924167.tif 000046
【図４６】
0003924167.tif 000047
【図４７】
0003924167.tif 000048
【図４８】
0003924167.tif 000049
【図４９】
0003924167.tif 000050
【図５０】
0003924167.tif 000051
【図５１】
0003924167.tif 000052
【図５２】
0003924167.tif 000053
【図５３】
0003924167.tif 000054
【図５４】
0003924167.tif 000055
【図５５】
0003924167.tif 000056
【図５６】
0003924167.tif 000057